(57)【要約】本発明は、少なくとも１つの引き戸(１１)およびそれに隣接した少なくとも１つの仕切り壁要素(１２)からなる、特にシャワー用の仕切り壁(１０)に関する。本発明は、引き戸(１１)の少なくとも１つの表面が、閉じ位置において、前記仕切り壁要素(１２)の表面と同じ表面で終わっていることを特徴とする。
2006524760.tif 000002
【特許請求の範囲】
【請求項１】
少なくとも１つの引き戸(１１)およびそれに隣接した少なくとも１つの仕切り壁要素(１２)を有する、特にシャワー室用の仕切り壁(１０)であって、これにより最低限１つの引き戸(１１)の少なくとも１つの表面が、閉じた状態で最低限１つの仕切り壁要素(１２)の表面と面一で閉じ、そしてスライドまたはキャリッジ(１３)によって最低限１つの引き戸(１１)をレール（１４、１５）内で案内することができ、スライドまたはキャリッジ（１３）がレール側要素（３１）および引き戸側要素（３２）を有し、これらの要素が連結要素（３３）によって互いに連結しており、レール側要素（３１）および引き戸側要素（３２）が関節式に連結要素（３３）に連結していることを特徴とする、上記仕切り壁。
【請求項２】
レール側要素（３１）、引き戸側要素（３２）および連結要素（３３）がタブとして設計してあることを特徴とする請求項１に記載の仕切り壁。
【請求項３】
引き戸(１１)が閉じたとき、レール側要素（３１）が連結要素（３３）の片面と接触し、そして引き戸側要素（３２）が連結要素（３３）の反対面と接触することを特徴とする請求項１または２に記載の仕切り壁。
【請求項４】
レール側要素（３１）と連結要素（３３）とに、および／または引き戸側要素（３２）と連結要素（３３）とに、磁石が装置してあり、引き戸が閉じたときにこれらの磁石が互いに接することを特徴とする請求項１〜３のいずれか１項に記載の仕切り壁。
【請求項５】
引き戸(１１)が閉じたとき、レール側要素（３１）およびスライドまたはキャリッジ(１３)の引き戸側要素（３２）が、開放位置に向かうばね予荷重を受けることを特徴とする請求項１〜４のいずれか１項に記載の仕切り壁。
【請求項６】
スライドまたはキャリッジ（１３）が走行ローラ（３０）を有することを特徴とする請求項１〜５のいずれか１項に記載の仕切り壁。
【請求項７】
くさび（３６）がレール（１４、１５）のうちの少なくとも１つに設けてあり、引き戸(１１)が閉じたとき、くさびが連結要素のそれに合わせた形状のカットアウト部または孔（３７）に入ることを特徴とする請求項１〜６のいずれか１項に記載の仕切り壁。
【請求項８】
くさび（３６）がレール（１４、１５）の長さに沿って調節可能であることを特徴とする請求項７に記載の仕切り壁。
【請求項９】
ボルト（７０）が引き戸側要素（３２）に配置してあり、これらのボルトは最低限１つの引き戸（１１）の対応開口部（７１）内に係合することを特徴とする請求項１〜８のいずれか１項に記載の仕切り壁。
【請求項１０】
引き戸側要素（３２）が最低限１つの引き戸(１１)に接着結合してあることを特徴とする請求項９に記載の仕切り壁。
【請求項１１】
調整ねじ（７３）が引き戸側要素（３２）に螺合してあり、引き戸側要素（３２）をレール（１４、１５）に対して調節できるようになっていることを特徴とする請求項１〜１０のいずれか１項に記載の仕切り壁。
【請求項１２】
カットアウト部または孔（６０）が、最低限１つの引き戸(１１)に隣接する少なくとも１つの仕切り壁要素(１２)に設けてあることを特徴とする請求項１〜１１のいずれか１項
に記載の仕切り壁。
【請求項１３】
最低限１つの引き戸(１１)および／または仕切り壁要素(１２)が湾曲要素、特に、ガラスパネルであることを特徴とする請求項１〜１２のいずれか１項に記載の仕切り壁。
【発明の詳細な説明】
【技術分野】
【０００１】
本発明は、仕切り壁、特に少なくとも１つの引き戸およびそれに隣接した少なくとも１つの仕切り壁要素を有するシャワー室用の仕切り壁に関する。
【背景技術】
【０００２】
一般的に、引き戸を有する仕切り壁がこの技術分野では知られている。スペースの関係でヒンジまわりに回動するドアを使用することができない状況では常に引き戸が使用される。しかしながら、引き戸には、閉じた状態でそれを取り囲む表面にオフセットが生じ、これを閉鎖しなければならないという欠点がある。このオフセットは、特にデザインに対する要求が厳しい状況ではデザインに破綻をもたらす。そして、引き戸からそれを取り囲んでいる表面に移る領域での清掃を困難にする。
【発明の開示】
【発明が解決しようとする課題】
【０００３】
したがって、本発明の目的は、引き戸から取り囲んでいる表面へ移る領域でも引き戸表面の清掃が容易であり、そして、オフセットしている引き戸によってデザインが破綻しないように、導入部で説明したタイプの仕切り壁を改良することにある。
【課題を解決するための手段】
【０００４】
本発明は、閉じた状態で最低限１つの引き戸の少なくとも１つの表面が最低限１つの仕切り壁要素の表面と面一で閉じることを特徴とする、導入部に述べたタイプの仕切り壁によってこの目的を達成する。最低限１つの引き戸が最低限１つの隣接した仕切り壁要素と面一で閉じる結果、従来、デザイン破綻の原因となっていたオフセットがなくなる。したがって、引き戸ならびにそれに隣接する最低限１つの仕切り壁要素の両方をまったく苦労することなく清掃できる。これと同様に、仕切り壁全体のデザイン性も向上する。
【０００５】
最低限１つの引き戸を開け易くするために、引き戸を開けようとするときに、引き戸をそれが閉じた状態のときの第１平面から第２平面へ変位させる。
【０００６】
このために、最低限１つの引き戸は両端のところでレール内を案内される。引き戸は、ローラによってレール内を案内される場合、特に容易に摺動することができ、摩耗も少ない。好ましい実施形態においては、ローラはスライドまたはキャリッジ上に配置されている。
【０００７】
本発明の別の実施形態では、スライドまたはキャリッジは、レール側に１つの要素を、そして、ドア側に１つの要素を有する。したがって、スライドまたはキャリッジは、最低限１つの引き戸に固着され、レールにも連結される。
レール側の要素と引き戸側の要素が連結要素によって互いに連結してあると有利である。
【０００８】
最低限１つの引き戸を第１平面から第２平面へ変位させるために、レール側要素および引き戸側要素をジョイントによって連結要素に連結する。
【０００９】
この引き戸は、レール側要素、引き戸側要素および連結要素をリンク・プレートとして設計した場合、デザインの点で特に簡単であり、したがって、製造の点でも有利である。
【００１０】
引き戸を閉ざした場合、レール側要素が連結要素の片側と接触し、引き戸側要素が連結要素の反対側と接触できる。その結果、引き戸が閉じたとき、スライドまたはキャリッジはほんの少しのスペースしか占有しない。したがって、閉じた位置において引き戸は第１平面に位置できる。
【００１１】
引き戸が閉じたとき、キャリッジまたはスライドのレール側要素および引き戸側要素が開放位置へ向かう予備的なばね張力を受けると有利である。これにより、引き戸がより容易に開く。
【００１２】
このために、レール側要素と連結要素とに、もしくは引き戸側要素と連結要素とに、または、連結要素とレール側、引き戸側の両要素とに磁石を設置する。引き戸が閉じたとき、これらの磁石は互いに重なる。したがって、引き戸をその閉じた位置に確実に保持する。
【００１３】
或る好ましい実施形態において、各ケースにおいて、固定位置くさびがレールのうちの少なくとも一方に設けてあり、引き戸が閉じたとき、この定位置くさびは連結要素に設けた適切な設計のカットアウト部または孔内に納まる。閉じた引き戸を開けようとするときには、引き戸はレールに沿って開放方向へ楽々と摺動する。それによって、くさびの傾斜面が孔の対応した傾斜面に沿って摺動する。その結果、対面して位置していた磁石が分離し、磁力閉鎖状態が容易に解消される。
【００１４】
引き戸をできるだけ容易に開けられるように、最適な位置決めを行うためにくさびをレールに沿って調節できる。
【００１５】
最低限１つの引き戸に引き戸側要素を容易に装置できるようにするために、ボルトを引き戸側要素に配置するとよい。これらのボルトが最低限１つの引き戸の対応する孔内に係合する。
【００１６】
引き戸側要素を、たとえば接着フィルム等の接着手段によって、最低限１つの引き戸に接着するならば、最低限１つの引き戸に引き戸側要素を非常に簡単、迅速、確実に連結できる。
このために、調整ねじを引き戸側要素に螺合させて引き戸側要素をレールに対して調節するとよい。
【００１７】
最低限１つの引き戸が第１平面から第２平面へ変位した後にレールに沿って移動できるようにするために、最低限１つの引き戸に隣接する少なくとも１つの仕切り壁要素にカットアウト部または孔を設けるとよい。したがって、スライドまたはキャリッジの連結要素と最低限１つの隣接した仕切り壁要素との衝突のリスクを排除できる。これらの孔は、閉鎖部品、たとえば、ブラシ要素などで閉じることができる。これらの閉鎖部品は、引き戸が動くときに引っ込む。
【発明を実施するための最良の形態】
【００１８】
以下、添付図面に基づいて或る実施形態をより詳細に説明する。
【００１９】
図１ａ、１ｂは、湾曲パネル、特にガラスパネルからなる引き戸１１および平らなパネルからなる仕切り壁要素１２を有する仕切り壁１０を示している。引き戸１１は、スライドまたはキャリッジ１３によってレール１４、１５に沿って動かすことができる。閉じた状態において、引き戸１１の少なくとも１つの表面は、隣接した仕切り壁要素１２の表面と面一で閉じる。引き戸を開けるためには、引き戸を第１平面から第２平面（図１ａ、図１ｂおよび図２参照）へ変位させる。この第１平面は、仕切り壁要素１２に対する面一閉鎖状態にあるときの引き戸１１の閉じた状態に対応する。ひとたび引き戸１１が第２平面の位置になったならば、引き戸１１をレール１４、１５に沿って動かして開口部１６を閉じることができる。
【００２０】
スライドまたはキャリッジ１３は、レール１４内にあるローラ３０（図３ａ）によって動かすことができる。レール１４内でのローラ３０の案内機能を確実に高めるために、レール１４はＵ字形となっており、Ｕの字の脚の部分がローラ３０まわりに係合する。
【００２１】
図３ａ、図４が示しているように、スライド１３はローラ３０を固着するレール側要素３１と、引き戸側要素３２と、連結要素３３とを有する。連結要素３３はレール側要素３１を引き戸側要素３２に連結する。レール側要素３１および引き戸側要素３２は、結合点３４のところで連結要素３３に関節式に連結してある。したがって、引き戸１１は閉じた状態に対応する第１平面から開いた状態に対応する第２平面に対して前後に動かすことができる。ひとたび引き戸１１が第２平面に位置したならば、引き戸１１はレール１４、１５に沿って動かすことができる。レール側要素３１および連結要素３３に係合するばね３８がヒンジを開放位置に向かって押圧する。
【００２２】
閉じた状態（図４）で、磁石３５がばね３８の力に抗してレール側要素３１を連結要素３３に対して固定する。閉じた状態において、レール側要素３１、引き戸側要素３２および連結要素３３（いずれもタブとして設計されている）は、互いに隣り合って位置し、その結果、引き戸１１が閉じた状態にある場合、スライド１３が占めるスペースはごくわずかで済む。閉じた状態では、固定位置でレール１４に嵌合するくさび３６が孔３７内に入る（図３ｂおよび４）。
【００２３】
引き戸１１をレール１４、１５に沿って動かして開いた場合、孔３７が傾斜した接触面に沿ってくさび３６に対して移動し、連結要素３３がレール側要素３１から移動し、その結果、２個の磁石３５がその磁力に抗して分離させられる。ばね３８の圧力がこれを助ける。その結果、引き戸１１は第１平面から第２平面へ非常に容易に移動できる。
【００２４】
仕切り壁要素１２は、カットアウト部または孔６０を有し、引き戸１１がその第２平面に位置して閉じたとき（図５）、スライド１３の連結要素３３と仕切り壁要素１２との衝突を防ぐようになっている。これらの孔６０はブラシ要素６１で閉ざしてあり、引き戸が移動するときにこれらのブラシ要素は引っ込む。
【００２５】
引き戸側要素３２はボルト７０を備えており、これらのボルトは、引き戸１１に設けた対応する孔７１内に係合する（図６）。レール側要素３１は接着剤７２によって引き戸１１に連結してもよい。そのとき、接着フィルムを使用すると好ましい。調整ねじ７３によって、その軸線方向において、引き戸１１をレール１４に対して調節できる。錠止リング７４が、止め７５、７６と共に、調整ねじ７３の調節範囲を制限する。ガイド要素７７がねじの軸線方向における最適な案内を保証する。
【図面の簡単な説明】
【００２６】
【図１ａ】仕切り壁の斜視図。
【図１ｂ】図１ａの仕切り壁を上から見た図。
【図２】図１ｂの仕切り壁の詳細図。
【図３ａ】スライドまたはキャリッジの正面図。
【図３ｂ】図２ａのスライドまたはキャリッジを上から見た図。
【図４】引き戸を閉じたときの上から見たスライドまたはキャリッジの詳細図。
【図５】閉じた引き戸およびそれに隣接した仕切り壁要素の斜視図。
【図６】引き戸およびそれに連結した引き戸側要素を通る断面図。
2006524760.tif 000003
2006524760.tif 000004
【図２】
2006524760.tif 000005
2006524760.tif 000006
2006524760.tif 000007
【図４】
2006524760.tif 000008
【図５】
2006524760.tif 000009
【図６】
2006524760.tif 000010
【国際調査報告】
2006524760.tif 000011
2006524760.tif 000012
2006524760.tif 000013
2006524760.tif 000014